(57)【特許請求の範囲】
【請求項１】
底面の漏水防止処理がなされていないか又は漏水防止処理がなされていたが損なわれている地面に直に設けられたごみ置場において、置場の上面全体を防水カバー又は屋根で覆って密閉してごみの山に雨水が侵入するのを防止し、前記防水カバー又は屋根内の空間を除湿させる除湿機を設けて該除湿機の稼動で前記ごみの山内を強制的に乾燥状態にし、ごみに含まれている有害物質が水に溶け出さないようにするとともに前記ごみの山に接する地中部分と地中の内部との湿度差によって生じる水蒸気浸透圧によるごみの山に接する地中部分に地中の内部からごみの山へ向う水蒸気の流れと、前記ごみの山に接する地中部分と地中の内部との含水率差によって生じる毛細管現象によるごみの山に接する地中部分に地中の内部からごみの山へ向う水の流れとを発生させることによって、ごみの山から地中へ向かう水分の流れを発生させないようにして、ごみに含まれている水蒸気と水に混ざった有害物質の地中への漏出を完全に防止できるようにし、且つ前記防水カバー又は屋根内の空間を減圧させる減圧手段を設けて、ごみの山内部を地中よりも減圧状態にし、ごみの山に接する地中部分に地中からごみの山へ向う空気の流れを作り、ごみの山から地中へ向かう空気の流れを発生させないようにして、ごみに含まれている有害気体の地中への漏出を完全に防止できるようにしたことを特徴とするごみ置場。
【請求項２】
防水カバー又は屋根内の空間にある有害ガスを吸着するガス吸着手段を設けて、ごみの山から発生する有害ガスを吸着することによって有害ガスの大気中への拡散を防止できるようにしたことを特徴とする請求項１に記載のごみ置場。
【請求項３】
防水カバー又は屋根内の空間にある悪臭を除去する脱臭手段を設けて、ごみの山から発生する悪臭を除去することによって悪臭の大気中への拡散を防止できるようにしたことを特徴とする請求項１又は２に記載のごみ置場。
【発明の詳細な説明】
【０００１】
【発明の属する技術分野】
本発明は、ごみ置場に関する。
【０００２】
【従来の技術】
全国どこでも、ごみが年々増えているが、ごみの置場がなくて困っている。
その理由は、ごみ置場の管理が殆どできていないために、各地で環境問題を起こしていてごみ置場の設置についての周辺住民の同意が得られないためである。その環境問題としては、地下水の汚染、悪臭の発生、有毒ガスの発生及び景観の破壊があげられる。
【０００３】
地下水の汚染は、図５（図の太矢印は水の流れる方向を示す）に示すように、ごみの山に降る雨水などにより、ごみの中の含まれている重金属など有害物質が溶け出して溜まり（図５に示す水溜まりＰ）、これが地下に浸透して地下水に混入して起こるものである。
また、雨水などによりごみの山の表面が濡れると、その水が毛細管現象によってごみの山内部に強力に浸透し、とじ込められたごみの山内部の気体が圧迫されて気圧が上昇する現象が起こる。有害物質が水に溶けて地面の上部に存在するとごみの山内部の気体の圧力により強力に地下に押し出される。この有害物質が地下水や土壌を汚染するのである。
そして近くの民家Ｈの井戸がある場合には井戸水Ｗが汚染される。
【０００４】
通常はその対策として、防水シ−ト敷、コンクリ−ト敷Ｋ、コンクリ−ト敷の上に防水シ−ト張りなどの漏水防止処理をしている。しかし完全な処理をしたつもりであっても継ぎ目、破れ、ひび割れなどにより防水機能が損われ、それが経時度合いにつれて用いられている素材が劣化し防水機能の低下喪失が拡大していくことが避けられない。
上記ごみの山内部に発生する気体の圧力により極めて小さい破れや、ひび割れであっても有害物質の漏出が起こるのである。
【０００５】
また、悪臭や有毒ガスは、図６（図の細矢印は悪臭や有毒ガスの流れる方向を示す）に示すように、ごみの山の内部で水分の存在のもとに進行する生ごみの腐敗（図６に示す生ごみの腐敗層Ｆ）や、発酵熱などによって引き起こされる高温状態下で、混入物質の化学反応が促進されたりして発生する。
そして、様々な化学物質の反応によって石化系原料製品の揮発、発火、発煙などを伴う。
また、ごみの種類によっては強烈な悪臭が発生し、ごみ置場の近くではとても生活できずに住居Ｈを放棄して他の地域に逃げ出す住民も増加している。
そして、ごみ置場が近くにあることを理由に財産としての不動産や地価も下落する現象もみられる。
ごみに含まれる石化系物質は発火すると、有害ガスと有害化学物質に化学変化し、その有害化学物質は一度ごみの中に作られてしまうと現在では有効な対処方法は殆どない。
【０００６】
また、生ごみがあるとカラスなどの鳥類やネズミなどの小動物や、蝿などの虫が集ったり、そのごみの中から発生したりして、極めて不衛生となる。
大きなごみの山は、ごみが剥き出しの状態に放置されていると景観が損われ、見る人を不快にさせる。
このような状態がいつまでも放置されると、周囲の住民は生命の危険を感じ、ごみ置場の存在そのものを意識するだけで不安に陥れられる。
そして現在、このような問題に対してだれも有効な対応をしないから、その地域の住民はこぞってごみ置場の設置に反対するのである。
【０００７】
【発明が解決しようとする課題】
本発明は、上記の実情に鑑みてなされたもので、ごみ置場からの有害ガスや悪臭の発生をなくし、またごみに含まれる有害物質が地中へ漏出するのを完全に防止できる方法を提供し、ごみ置場がある近隣地域住民の不安を取除こうとするものである。
【０００８】
【課題を顔決するための手段】
上記課題を顔決するために、本発明は、底面の漏水防止処理がなされていないか又は漏水防止処理がなされていたが損なわれている地面に直に設けられたごみ置場において、置場の上面全体を防水カバー又は屋根で覆ってごみの山に雨水が侵入するのを防止し、前記防水カバー又は屋根内の空間を除湿させる除湿機を設けて該除湿機の稼動で前記ごみの山内を強制的に乾燥状態にし、ごみに含まれている有害物質が水に溶け出さないようにするとともに前記ごみの山に接する地中部分と地中の内部との湿度差によって生じる水蒸気浸透圧によるごみの山に接する地中部分に地中の内部からごみの山へ向う水蒸気の流れと、前記ごみの山に接する地中部分と地中の内部との含水率差によって生じる毛細管現象によるごみの山に接する地中部分に地中の内部からごみの山へ向う水の流れとを発生させることによって、ごみの山から地中へ向かう水分の流れを発生させないようにして、ごみに含まれている水蒸気と水に混ざった有害物質の地中への漏出を完全に防止できるようにし、且つ前記防水カバー又は屋根内の空間を減圧させる減圧手段を設けて、ごみの山内部を地中よりも減圧状態にし、ごみの山に接する地中部分に地中からごみの山へ向う空気の流れを作り、ごみの山から地中へ向かう空気の流れを発生させないようにして、ごみに含まれている有害気体の地中への漏出を完全に防止できるようにしたことを特徴とするごみ置場である。
【００１１】
さらに、上記構成において、防水カバー又は屋根内の空間にある有害ガスを吸着するガス吸着手段を設けて、ごみの山から発生する有害ガスを吸着することによって有害ガスの大気中への拡散を防止できるようにすることを特徴とするものである。
【００１２】
さらにまた、上記構成において、防水カバー又は屋根内の空間にある悪臭を除去する脱臭手段を設けて、ごみの山から発生する悪臭を除去することによって悪臭の大気中への拡散を防止できるようにすることを特徴とするものである。
【００１３】
【発明の実施の形態】
本発明の実施の形態を以下説明する。
本発明の請求項１の形態は、図１及び図２に示すように、地面Ｇに穴を掘って、野積み（図１）又は漏水防止するとは言っても水分透過性があって、底面の漏水防止処理がなされていないか又は漏水防止処理がなされていたが損なわれている地面に直に設けられたコンクリ−ト敷Ｋ（図２）の穴に投棄したごみの山Ｍの上面全体を防水カバ−１又は屋根で覆って雨水の侵入を防止し、ごみの山Ｍ内部を除湿機３で空気を強制的に乾燥状態にすることによってごみに含まれている有害物質が水に溶け出さないようにするとともに、前記ごみの山Mに接する地中部分と地中の内部との湿度差による生じる水蒸気の浸透圧による水蒸気の吸上げ及び前記ごみの山Mに接する地中部分と地中の内部との含水率差による毛細管現象による水の吸上げによって地中からの湿気と水分とをごみの山内部乃至ごみの山上部に吸い上げさせることによって、地中からごみの山へ向う水分の流れを作り（図中の太線の矢印）、ごみに含まれている水蒸気と水に混ざった有害物質のごみの山Ｍから地中へ流れの発生を起こさせないようにして有害物質の地中へ漏出を完全に防止できるようにする。
【００１４】
ごみの山Ｍ内部を積極的に乾燥状態にするためにはごみの山Ｍの表面からの水分蒸発を盛んにすると良い。その方法としては、防水カバ−１又は屋根などの覆いの内部に空気（風）を送って、その空気に取り込んだ湿気を排出することも考えられる。しかし、そのため悪臭や有毒ガスが含まれない場合には防水カバ−１又は屋根とごみの山Ｍの表面の間に隙間間隔を大きくとって、自然の風を取込めるようにすることはせずに、本発明では図３に示すように、除湿機３を設けることによって、その除湿機３の稼動でごみの山を強制的に乾燥状態にする。
【００１５】
なおかつ、図３に示すように、前記防水カバー又は屋根内の空間の空気を減圧させる減圧機２を設けてごみの山Ｍの空気を地中の空気よりも減圧状態にし、地中からごみの山Ｍへ向う空気の流れを作り（図３中の太線の矢印）、ごみに含まれている有害気体のごみの山Ｍから地中へ流れの発生を起こさせないようにして有害気体の地中への漏出を完全に防止できるようにするものである。
【００１７】
また、請求項２の形態は、上記構成において、図３に示すように、前記防水カバー又は屋根内の空間にある有害ガスを吸着するガス吸着機４のガス吸着手段を設けてごみの山Ｍから発生するガスを吸着することによって有害ガスの大気中への拡散を防止するものである。
【００１８】
さらに、請求項３の形態は、上記構成において、図３に示すように、前記防水カバー又は屋根内の空間にある悪臭を除去する脱臭機５の脱臭手段を設けてごみの山Ｍから発生する悪臭を除去することによって悪臭の大気中への拡散を防止するものである。
【００１９】
前記減圧機２、除湿機３、ガス吸着機４及び脱臭機５は、一般に市販され使用されている装置がそのまま使用でき、図４に示すように、それらの複数を連結して設置することもできる。（図４は減圧機２と脱臭機５を連結した形態を示している）
また、ごみ置場のごみの山Ｍの下に中空部にを設けて（上げ底にして）ごみの山Ｍと地面との縁切りを行なったり、ごみの山Ｍの中や下部に水抜き用の貫通孔群を備えた排水管や通風管を設置しごみの山Ｍの内部の排水や通風を行なう方法も大変有効である。
【００２０】
【発明の効果】
本発明は以上のようで、請求項１の発明は、前記ごみ置場において、ごみの山の上面全体を防水カバ−１又は屋根で覆って雨水の侵入を防止するとともに除湿機３を設けることによって、その除湿機３の稼動でごみの山を強制的に乾燥状態にして、ごみの山内部を常に乾燥状態にすることができる。
【００２１】
そして、水分透過性があるコンクリ−ト敷Ｋのひび割れなどによって防水機能が低下や喪失しているごみ置場においても、ごみに含まれている有害物質が水に溶け出さないようにするとともに前記ごみの山Ｍに接する地中部分と地中の内部との湿度差による生じる蒸気浸透圧による蒸気の吸上げ及び前記ごみの山Ｍに接する地中部分と地中の内部との含水率差による毛細管現象による水の吸上げによって地中からの湿気と水分とをごみ内部に吸い上げさせることによって、地中からごみの山へ向う水分の流れを作り、ごみに含まれている水蒸気と水に混ざった有害物質のごみの山から地中へ流れの発生を起こさせないようにして有害物質の地中へ漏出を完全に防止することができる。
【００２２】
なおかつ、前記防水カバー又は屋根内の空間を減圧させる減圧手段を設けることによって、ごみの山を地中よりも減圧状態にし、地中からごみの山へ向う空気の流れを作り、ごみに含まれている有害気体のごみの山から地中へ流れの発生を起こさせないようにして有害気体の地中への漏出を完全に防止できる。
【００２４】
また、請求項２の発明は、前記防水カバー又は屋根内の空間にある有害ガスを吸着するガス吸着手段を設けることによって、ごみの山から発生するガスを吸着することによって有害ガスの大気中への拡散を防止することができる。
【００２５】
さらに、請求項３の発明は、前記防水カバー又は屋根内の空間にある悪臭を除去する脱臭手段を設けることによって、ごみの山から発生する悪臭を除去することによって悪臭の大気中への拡散を防止することができる。
本発明は以上であり、たとえごみの中に有害物質を含んでいても、地中への漏出が避けられ、また悪臭や有毒ガスの発生を防止でき、さらに発生した悪臭や有毒ガスは周囲に拡散させずに無害化処理することができる。
前記防水シ−トの屋根などごみの山を覆うものを迷彩色にすることによって、地域の景観を守ることができる。ごみの山は防水シ−トや屋根などで覆われているのでカラスなどが入り込むことはできず生ごみを撒き散らされる心配もない。
【００２６】
破損した防水シ−ト敷、コンクリ−ト敷、コンクリ−ト敷の上に破損した防水シ−ト張りなどの漏水防止処理が損なわれている場合はもとより底面の漏水防止処理がなされていないごみが野積み状態であっても、地下水や空気の環境汚染の心配はなくなり、ごみ置場の周辺地域住民が安心できるものなのでごみ置場設置の理解を得やすくなる。
ごみそのものがなくなるものではないが、ごみは危険物との認識を持ち、将来有効なごみ処理方法ができるまでの応急措置として本発明は大いに役に立つものと思われる。
【図面の簡単な説明】
【図１】本発明の野積みの場合を示す模式的縦断側面図。
【図２】本発明のコンクリ−ト敷の場合を示す模式的縦断側面図。
【図３】本発明の野積みの場合を示す模式的縦断側面図。
【図４】本発明の野積みの場合を示す模式的縦断側面図。
【図５】従来の野積みの場合を示す模式的縦断側面図。
【図６】従来のコンクリ−ト敷の場合を示す模式的縦断側面図。
【符号の説明】
Ｍ    ごみの山
Ｇ    地面
Ｋ    コンクリ−ト敷
Ｗ    井戸
Ｈ    民家
Ｆ    生ごみ腐敗層
Ｐ    水溜まり
１    防水シ−ト屋根
２    減圧手段
３    除湿手段
４    ガス吸着手段
５    脱臭手段
【図１】
0003900315.tif 000002
【図２】
0003900315.tif 000003
【図３】
0003900315.tif 000004
【図４】
0003900315.tif 000005
【図５】
0003900315.tif 000006
【図６】
0003900315.tif 000007